(57)【要約】  【課題】  ＰＯＳ管理装置が導入されているか否かは問わず、如何なる店舗においても、人為的な操作を必要とせずに、営業時間の関係で営業時間内にコンテンツサービスを受けることができなくなった利用者の利用者ＩＤを自動的に消去でき、利用者のプライバシー情報の漏洩を防止できるシステムの構築を課題とする。  【解決手段】  予めカラオケ設置店舗の従業員が登録した営業終了時刻と、利用者ＩＤが特定された利用者が登録した楽曲の演奏終了時刻を比較し、予約待ち行列に登録されている楽曲を、営業時間内に演奏できる楽曲と演奏できない楽曲に区分することにより、営業時間内に演奏できる楽曲の楽曲ＩＤに紐づけられていない利用者の利用者ＩＤを自動的に消去するシステムを構築した。【選択図】図５
2009288702.tif 000002
【特許請求の範囲】
【請求項１】
カラオケ装置設置店舗の営業終了時刻と、予約待ち行列に登録された各楽曲の演奏時間をもとに、取得した利用者ＩＤを自動的に消去するシステムであって、利用者ＩＤ取得手段と、利用者別予約登録手段と、登録楽曲演奏時刻算出手段と、営業終了時刻登録手段と、予約待ち行列区分手段と、利用者ＩＤ自動消去手段とを有し、
（ア） 利用者ＩＤ取得手段とは、利用者ＩＤを取得して利用者を特定するものであり、
（イ） 利用者別予約登録手段とは、前記特定された任意の利用者が楽曲を選曲した際、当該利用者ＩＤを当該選曲楽曲の楽曲ＩＤに紐付けて、予約待ち行列に順番に登録するものであり、
（ウ） 登録楽曲演奏時刻算出手段とは、前記予約待ち行列に登録されている各楽曲の演奏時間をもとに、それぞれの演奏終了時刻を算出し、
（エ） 営業終了時刻登録手段とは、前記カラオケ装置設置店舗の営業終了時刻を登録するものであり、
（オ） 予約待ち行列区分手段とは、任意のタイミングにて前記登録されたカラオケ設置店舗の営業終了時刻にもとづき、前記算出されたそれぞれの演奏終了時刻を比較し、当該予約待ち行列登録楽曲の内にて、営業時間内に演奏できる楽曲と、演奏できない楽曲を区分するものであり、
（カ） 利用者ＩＤ自動消去手段とは、前記区分が成立した際に前記予約待ち行列の区分にて、営業時間内に演奏できる楽曲につき、その楽曲ＩＤに紐づけられていない利用者ＩＤを自動的に消去するものであり、
であることを特徴とする取得利用者ＩＤ自動消去システム。
【発明の詳細な説明】
【技術分野】
【０００１】
本発明は、利用者管理サーバに接続されたカラオケ装置にて、利用者毎にその利用者ＩＤを取得すると、個別のサービスが享受できるシステムに関し、さらに詳しくは、当該取得した利用者ＩＤを自動的に消去できるシステムに関する。
【背景技術】
【０００２】
最近の通信カラオケ装置は、インターネット（ブロードバンドを含む）接続を行うことにより、カラオケシステムとして、様々なコンテンツサービスを提供することが可能になった。これらのコンテンツサービスは、カラオケ利用者管理サーバに接続された、カラオケ装置に対応づけられているリモコン端末（ネットワークを介して利用者管理サーバに接続可能）を用いて、利用者が利用者ＩＤを取得（ログイン）することにより、自身の十八番楽曲を登録したり、個別に自身の歌唱力の評価を依頼したりできるものである。このコンテンツサービスを終了する際には、利用者自身が利用者ＩＤの消去（ログアウト）を行う必要がある。しかし、このリモコン端末は、各々の利用者が代わる代わる使用しており、利用者ＩＤの消去が指定使用時間を迎え、退室した際でも行われなかった場合には、自身とは関係のない別のグループや別の利用者に、登録した十八番楽曲や歌唱採点結果を見られてしまうこととなり、利用者のプライバシー情報が漏洩される不都合が生じる。このような問題に対して、特許文献２では、カラオケ装置に接続されているＰＯＳ管理装置の料金支払いに際に、そのタイミングに応じて人為的な操作を必要とせず、自動的に利用者ＩＤを消去する技術が開示されている。
【特許文献１】特開２００６−１２６５２０号公報
【発明の開示】
【発明が解決しようとする課題】
【０００３】
しかしながら、特許文献１では、カラオケボックスのように、ＰＯＳ管理装置のタイミングに応じて自動的に利用者ＩＤを消去するものであるため、ＰＯＳ管理装置が導入されていないスナックやバー等といったナイト店舗を対象としたものではなく、如何なる店舗でも適応が可能とは言えない。そこで、本発明では、上記従来の不都合を鑑み、ＰＯＳ管理装置が導入されているか否かは問わず、如何なる店舗においても、人為的な操作を必要とせずに、営業終了時間の関係で、営業時間内にコンテンツサービスを受けることができなくなった利用者を判断して、その利用者ＩＤを消去し、さらに、これにより利用者ＩＤの消し忘れによる利用者のプライバシー情報の漏洩も防止できるシステムの構築を課題とする。
【課題を解決するための手段】
【０００４】
上記課題を鑑み、本発明者らは、カラオケ装置設置店舗の営業終了時刻と、予約待ち行列に登録された各楽曲の演奏時間をもとに、取得した利用者ＩＤを自動的に消去するシステムであって、利用者ＩＤを取得して利用者を特定し、利用者ＩＤが特定された任意の利用者が楽曲を選曲した際、その利用者ＩＤを選曲楽曲の楽曲ＩＤに紐付けて、予約待ち行列に順番に登録し、任意のタイミングにて予約待ち行列に登録されている各楽曲の演奏時間をもとに、それぞれの演奏終了を算出し、カラオケ装置設置店舗の営業終了時刻を登録し、登録されたカラオケ設置店舗の営業終了時刻にもとづき、算出されたそれぞれの演奏終了時刻と比較し、予約待ち行列登録楽曲の内にて、営業時間内に演奏できる楽曲と、演奏できない楽曲を区分し、営業時間内に演奏できる区分楽曲につき、その楽曲ＩＤに紐づけられていない利用者ＩＤを任意のタイミングにて自動的に消去するシステムを想到し、上記課題を解決した。
【０００５】
すなわち、本発明の取得利用者ＩＤ自動消去システムとは、カラオケ装置設置店舗の営業終了時刻と、予約待ち行列に登録された各楽曲の演奏時間をもとに、取得した利用者ＩＤを自動的に消去するシステムであって、利用者ＩＤ取得手段と、利用者別予約登録手段と、登録楽曲演奏時刻算出手段と、営業終了時刻登録手段と、予約待ち行列区分手段と、利用者ＩＤ自動消去手段とを有し、利用者ＩＤ取得手段とは、利用者ＩＤを取得して利用者を特定するものであり、利用者別予約登録手段とは、前記特定された任意の利用者が楽曲を選曲した際、当該利用者ＩＤを当該選曲楽曲の楽曲ＩＤに紐付けて、予約待ち行列に順番に登録するものであり、登録楽曲演奏時刻算出手段とは、前記予約待ち行列に登録されている各楽曲の演奏時間をもとに、それぞれの演奏終了時刻を算出し、営業終了時刻登録手段とは、前記カラオケ装置設置店舗の営業終了時刻を登録するものであり、予約待ち行列区分手段とは、任意のタイミングにて前記登録されたカラオケ設置店舗の営業終了時刻にもとづき、前記算出されたそれぞれの演奏終了時刻を比較し、当該予約待ち行列登録楽曲の内にて、営業時間内に演奏できる楽曲と、演奏できない楽曲を区分するものであり、利用者ＩＤ自動消去手段とは、前記区分が成立した際に前記予約待ち行列の区分にて、営業時間内に演奏できる楽曲につき、その楽曲ＩＤに紐づけられていない利用者ＩＤを自動的に消去するものであり、であることを特徴とする取得利用者ＩＤ自動消去システム。
【発明の効果】
【０００６】
本発明の取得利用者ＩＤ自動消去システムによれば、利用者ＩＤが特定された利用者が、予約待ち行列に任意のタイミングにて登録している各楽曲の演奏時間をもとに、それぞれの演奏終了時刻を算出し、当該算出された演奏終了時刻と、カラオケ設置店舗の営業終了時刻を比較し、予約待ち行列に登録されている楽曲を営業時間内に演奏できる楽曲と演奏できない楽曲に区分し、営業時間内に演奏できる楽曲につき、その楽曲ＩＤに紐づけられていない利用者ＩＤを自動的に消去する。よって、ナイト店舗のようなＰＯＳ管理装置が設置されていない店舗において、利用者がリモコン端末を用いて選曲に伴う一連のコンテンツサービスを受けた後や、営業終了時間の都合により、それ以上コンテンツサービスが受けられなくなった場合等で、利用者ＩＤの消去を忘れた場合でも、利用者ＩＤ取得状態で視認可能な十八番楽曲や歌唱採点結果等を、自身とは関係のない別のグループや別の利用者に見られてしまうような不都合を防ぐことができ、プライバシー情報の漏洩を防止できるといった効果を奏する。
【発明を実施するための最良の形態】
【０００７】
以下に、本発明のカラオケシステムについて最適な実施例を挙げ、先ず、図１に示すカラオケシステムを構成するカラオケ装置のブロック構成図について説明する。
【０００８】
図１は、本カラオケシステム（１）のブロック構成図である。本実施例のカラオケ装置（Ｐ）は、カラオケホスト装置（Ｈ）と通信ネットワーク（Ｎ）を介して多数接続されており、具体的には、カラオケ装置（Ｐ）と、配信楽曲関連データの提供機能の他、カラオケ利用者管理サーバを併用する本実施例のカラオケホスト装置（Ｈ）は、一般公衆回線やＡＤＳＬあるいは光通信回線等を利用した通信ネットワークを介して接続されており、例えば、インターネットを利用したカラオケ事業者が管理するＶＰＮ（Virtual Private Network）を用いて、カラオケホスト装置（Ｈ）と各カラオケ装置（Ｐ）にＩＰアドレスを割り当て、それをＭＡＣ（Media Access Control）アドレスと、このＩＰアドレスとを対応付けしテーブルを作成して通信処理を行う。
【０００９】
そして、カラオケ装置（Ｐ）とＶＰＮを介して接続されるカラオケホスト装置（Ｈ）には、各利用者の利用者ＩＤを管理する、利用者ＩＤ管理テーブル（Ｔ１）と、楽曲データベース（ＤＢ）が設けられており、この楽曲データベース（ＤＢ）には、ＭＩＤＩデータを主体とした伴奏データと、これに同期される歌詞テロップデータが楽曲毎に格納されており、各楽曲は楽曲ＩＤに付けられている。
【００１０】
次に、このカラオケホスト装置（Ｈ）に接続されるカラオケ装置（Ｐ）は、主に中央制御部（１０）と、これに接続される各種機能手段およびハードディスクドライブ（１１）等から構成されており、中央制御部（１０）は、リモコン装置（Ｒ）に付帯されている利用者ＩＤ取得手段（２）を用いて、利用者が利用者ＩＤの取得を指示した際に、取得指示を行った利用者の利用者ＩＤを、カラオケホスト装置（Ｈ）の利用者ＩＤ管理テーブル（Ｔ１）よりダウンロードし、ハードディスクドライブ（以下「ＨＤＤ」と称す）の取得利用者ＩＤリスト（Ｌ）に記録される。この取得利用者ＩＤリスト（Ｌ）に、取得した利用者ＩＤを記録することにより、利用者ＩＤが特定されカラオケシステムへのログインがなされたことになる。
【００１１】
そして、この特定された利用者が、リモコン装置（Ｒ）の利用者別予約登録手段（３）から楽曲を選曲登録し、赤外線信号等を用いて、カラオケ装置（Ｐ）のリモコン信号受信部（４）に送信したならば、リモコン信号受信部（４）は受信した、選曲楽曲の楽曲ＩＤと当該楽曲ＩＤに紐づけられている利用者ＩＤを、ＲＡＭ（１２）の予約待ち行列管理テーブル（Ｔ２）に、予約された順番、すなわち、演奏順に登録していく。次にこの予約待ち行列管理テーブル（Ｔ２）に演奏順に登録されている各楽曲の演奏時間をもとに、登録楽曲演奏時刻算出手段（５）より、演奏終了時刻を算出し、ＲＡＭ（１２）の算出演奏時刻管理テーブル（Ｔ３）に記憶する。そして、この算出された各楽曲の演奏終了時刻を、カラオケ設置店舗の従業員が予め、営業終了時刻登録手段（６）より、ＨＤＤ（１１）の営業終了時刻登録データ（ＤＴ）に登録している、カラオケ設置店舗の営業終了時刻とを予約待ち行列区分手段（７）を用いて比較し、予約待ち行列管理テーブル（Ｔ２）に登録されている楽曲を、営業時間内に演奏できる楽曲と、営業時間内に演奏できない楽曲に区分する。そして、この予約待ち行列の区分が成立したならば、営業時間内に演奏できる楽曲の楽曲ＩＤに紐づけられていない利用者ＩＤを、利用者ＩＤ自動消去手段（８）を用いて自動的に消去、すなわち、ログアウトする。なお、営業時間内に演奏できると区分され楽曲は、通常通りにミキシングアンプ（１５）、スピーカー（１６）、マイク（１７）や、映像制御部（１３）に接続されるモニター（１４）を用いて演奏される。また、自動的に消去された利用者ＩＤは、カラオケ装置（Ｐ）の取得利用者ＩＤリスト（Ｌ）から、カラオケホスト装置（Ｈ）の利用者ＩＤ管理テーブル（Ｔ１）にアップロードされる。
【００１２】
次に、図２に示す、営業終了時刻および自動ログアウト設定画面の表示例について説明する。
【００１３】
図２の（ａ）営業終了時刻設定画面の表示例は、カラオケ設置店舗の従業員等が予め店舗の営業終了時刻を登録する画面である。この営業時刻終了設定画面（Ｄａ）により設定された営業終了時刻は、カラオケ装置のＨＤＤ内に営業終了時刻登録データとして登録される。そして、（ｂ）自動ログアウト設定画面の表示例は、利用者により自動ログアウトの設定を行うか否かの設定を行うものであり、自動ログアウト設定を行った場合には、予約待ち行列に登録されている楽曲において、前記営業終了時刻設定画面にて登録された営業終了時刻までに演奏できる楽曲の、楽曲ＩＤに紐づけられていない利用者ＩＤは、自動的に消去されることになる。なお、本実施例では、利用者の利用者ＩＤのみ自動的に消去しているが、利用者ＩＤと共に登録されている楽曲ＩＤも消去しても構わない。
【００１４】
次に、図３に示す、利用者ＩＤ管理テーブルおよび取得利用者ＩＤリストの概略図と、図４に示す、予約待ち行列管理テーブルおよび算出演奏時刻管理テーブルの概略図について説明する。
【００１５】
図３の（ａ）は利用者ＩＤ管理テーブルの概略図であり、カラオケホスト装置に記録されている利用者ＩＤと、この利用者ＩＤに紐づけられる氏名等を記録したものであり、この利用者ＩＤ管理テーブルの構成要件として、管理番号を示す「管理番号」フィールド（ｆ１）と、管理されている利用者の利用者ＩＤを示す「利用者ＩＤ」フィールド（ｆ２）と、利用者の氏名を示す「氏名」フィールド（ｆ３）等からなる。なお、本実施例では、前記３つのフィールドしか示していないが、実際にはニックネームや生年月日等も管理されている。
【００１６】
そして、図３の（ｂ）は取得利用者ＩＤリストの概略図であり、利用者ＩＤ管理テーブルに記録されている利用者において、利用者ＩＤが特定されカラオケシステムにログインされた利用者を示したものであり、本実施例では、７人の利用者がカラオケシステムにログインしていることになる。
【００１７】
次に、図４の（ａ）は予約待ち行列管理テーブルの概略図であり、カラオケシステムにログインされた利用者が、利用者別予約登録手段を用いて選曲登録した楽曲ＩＤおよび、楽曲ＩＤに紐づけられている利用者ＩＤ等を記憶したものであり、この予約待ち行列管理テーブルの構成要件として、予約待ち行列に登録されている楽曲の演奏順番を示す「演奏順番」フィールド（ｆ１）と、選曲登録した利用者の利用者ＩＤを示す「利用者ＩＤ」フィールド（ｆ２）と、利用者の氏名を示す「氏名」フィールド（ｆ３）と、利用者が選曲した楽曲の曲名を示す「曲名」フィールド（ｆ４）と、利用者ＩＤに紐づけられている楽曲ＩＤを示す「楽曲ＩＤ」フィールド（ｆ５）からなる。
【００１８】
そして、図４の（ｂ）は算出演奏時刻管理テーブルの概略図であり、前記予約待ち行列管理テーブルに登録されている各楽曲の演奏時間をもとに、演奏終了時刻を算出したものである。この算出演奏時刻管理テーブルの構成要件としては、当該予約待ち行列管理テーブルと同じく、「演奏順番」、「利用者ＩＤ」、「氏名」、「曲名」、「楽曲ＩＤ」フィールドが構成されており、その他に、各楽曲の演奏時間を示す「演奏時間」フィールド（ｆ６）と、現在時刻と登録楽曲の演奏時間から、各楽曲の演奏終了時刻を算出したものを示す「演奏終了時刻」フィールド（ｆ７）からなり、本実施例では、「２３時４０分」に演奏順番の１番目の楽曲が演奏開始されることになる。
【００１９】
次に、図５に示す予約待ち行列管理テーブルの区分例について説明する。
【００２０】
図５は、当該営業終了時刻登録データに登録されている営業終了時刻と、当該算出演奏時刻管理テーブルに記憶されている各楽曲の演奏終了時刻とを比較し、予約待ち行列管理テーブルに登録されている楽曲を、営業時間内に演奏できる楽曲と演奏できない楽曲に区分したものである。本実施例では、カラオケ設置店舗の営業終了時刻を「０時００分」と設定しており、予約待ち行列の演奏順番の１番目の楽曲が「２３時４０分」に演奏開始されることから、演奏順番の５番目の楽曲が、営業終了時刻「０時００分」を越えることとなり、現段階において、営業時間内に演奏できる楽曲につき、その楽曲ＩＤに紐づけられていない利用者Ｉ、利用者Ｊ、利用者Ｂ（図中では利用者ＩＤ「００９」、「０１０」、「００２」）は任意のタイミング（本実施例では各楽曲の演奏終了時／本発明では所定の複数楽曲の演奏毎でも可）にて既に自動的に消去、すなわち、ログアウトされたことになる。また、現段階において、利用者ＩＤ営業時間内に演奏できる楽曲につき、その楽曲ＩＤに紐づけられている利用者Ａ、利用者Ｄ（営業時間外にも選曲登録が存在）あるいは利用者Ｃ、利用者Ｆ（営業時間外には選曲登録が存在せず）に関しても、それぞれの演奏終了後には営業時間内に演奏できる楽曲が存在しなくなるため、順次、利用者ＩＤが消去されることになる。
【００２１】
次に、図６に示す取得利用者ＩＤの自動消去の処理を示すフローについて説明する。
【００２２】
図６は、取得利用者ＩＤの自動消去の流れを示すもので、カラオケ設置店舗の営業終了時刻は、予め従業員等により、営業終了時刻登録データに登録されているものである。そして、利用者がリモコン装置の利用者ＩＤ取得手段を用いて、利用者ＩＤを取得し利用者が特定されると、本カラオケシステムへのログイン処理が行われ（Ｓ１）、特定された利用者が楽曲を選曲した場合には、当該特定利用者の利用者ＩＤと選曲した楽曲の楽曲ＩＤを紐づけ、予約待ち行列に順番に登録し（Ｓ２）、自動ログアウトを行う設定を利用者が行った場合には（Ｓ３）、予約待ち行列に登録されている各楽曲の演奏時間より演奏終了時刻を算出し（Ｓ４）、当該予め従業員等により登録されている店舗の営業終了時刻と、算出した各楽曲の演奏終了時刻を比較し（Ｓ５）、比較結果より予約待ち行列に登録されている楽曲を、営業時間内に演奏できる楽曲と演奏できない楽曲に区分する（Ｓ６）。そして、予約待ち行列が演奏できる楽曲と演奏できない楽曲に区分が成立したならば（Ｓ７）、営業時間内に演奏可能と区分されている楽曲の楽曲ＩＤと紐づけられている利用者ＩＤ以外を営業時間終了後の自動的に消去、すなわち、ログアウトする（Ｓ８）。
【００２３】
このようなシステムによれば、利用者ＩＤが特定された利用者が選曲し予約待ち行列に登録した各楽曲の演奏終了時刻と、カラオケ設置店舗の従業員が予め登録した営業終了時刻を比較し、営業時間内に演奏できる楽曲と演奏できない楽曲に、予約待ち行列を区分し営業時間内に演奏できる楽曲の楽曲ＩＤとその利用者ＩＤ以外の利用者ＩＤを自動的に消去することにより、ＰＯＳ管理装置が導入されているか否かは問わず、如何なる店舗においても、人為的な操作を必要とせずに、営業終了時間の関係で営業時間内に、コンテンツサービスを受けることができなくなった利用者ＩＤを自動的に消去でき、利用者のプライバシー情報の漏洩を防止できる
【図面の簡単な説明】
【００２４】
【図１】本カラオケシステムのブロック構成図
【図２】営業終了時刻および自動ログアウト設定画面の表示例
【図３】利用者ＩＤ管理テーブルおよび取得リストの概略図
【図４】予約待ち行列管理テーブルおよび算出演奏時刻管理テーブルの概略図
【図５】予約待ち行列管理テーブルの区分例
【図６】取得利用者ＩＤの自動消去の処理を示すフロー
【符号の説明】
【００２５】
１           カラオケシステム
２           利用者ＩＤ取得手段
３           利用者別予約登録手段
４           リモコン信号受信部
５           登録楽曲演奏時刻算出手段
６           営業終了時刻登録手段
７           予約待ち行列区分手段
８     
利用者ＩＤ自動消去手段
１０         中央制御部
１１         ハードディスク
１２         ＲＡＭ
Ｔ１         利用者ＩＤ管理テーブル
Ｔ２         予約待ち行列管理テーブル
Ｔ３         算出演奏時刻管理テーブル
Ｌ           取得利用者ＩＤリスト
ＤＴ         営業終了時刻登録データ
Ｐ          
カラオケ装置
Ｒ           リモコン装置
【図２】
2009288702.tif 000003
【図３】
2009288702.tif 000004
【図４】
2009288702.tif 000005
【図５】
2009288702.tif 000006
【図６】
2009288702.tif 000007
【図１】
2009288702.tif 000008